(57)【特許請求の範囲】
【請求項１】
箱形器枠の内部に除糠精白筒を着脱自在に横架し、その内部に回転横軸を嵌挿して軸受によって回転横軸を支承し、前記回転横軸には、摩擦式ロールである精白転子と螺旋転子をそれぞれ軸装してその外周を精白室に形成し、精白室の給米側に供給口、排米側に精白度調整装置を備えた排米口を設け、除糠精白筒の保持部は、弾性体を介して支持し、前記除糠精白筒の排米口側の保持部は、除糠精白筒が貫通する導入口を有し、箱型器枠に固定される押え板と、除糠精白筒の外周と勘合する保持部を有する弾性材料の除糠精白筒支持台を備え、除糠精白筒支持台を給米口側から押え板に固定し、押え板の導入口と除糠精白筒支持台の保持部の間隙は、除糠精白筒のスリット幅より小さくした精米器。
【発明の詳細な説明】
【０００１】
【発明の属する技術分野】
本発明は、主に家庭で使用される精米器に関するものである。
【０００２】
【従来の技術】
近年、グルメ志向及びヘルシー志向に伴い、家庭で玄米を好みのつき加減に精米し、つきたての米を炊飯し、食べたいというニーズが高まってきている。
【０００３】
従来、この種の精米器は特開平４−２７４４４号公報に示すような構成であり、図４を参照しながら説明する。
【０００４】
図に示すように、精米器１は、箱形器枠２の内部に除糠精白筒３を横架し、その内部に回転横軸４を嵌挿して軸受５によって回転横軸４を支承している。前記回転横軸４には、摩擦式ロールである精白転子６と螺旋転子７をそれぞれ軸装してその外周を精白室８に形成し、精白室８の給米側に供給口９を、その排米側に精白度調整装置１０を備えた排米口１１を設けてる。
【０００５】
上記構成において、供給口９より供給された玄米は、精白室８に落下して精白転子６の回転によって精米される際、排米口１１部において精白度調整装置１０により適度に搗精圧力がかかり所定の精白度となって上で、排米口１１から落下し、精米器外１へ排出される。
【０００６】
【発明が解決しようとする課題】
しかしながら、このような従来の精米器では、抵抗蓋１１によって精白室内の精白米の流動を制限して、いわゆる搗精圧力を増大させることにより、玄米と玄米を摩擦することにより精米している。このため、米が擦れあうときに発生する振動は除糠精白筒３から箱型器枠２に伝わり、大きな振動・騒音を発生する。従って、使用者は、周囲へ気を使い精米したいときに精米できないという課題を有していた。
【０００７】
本発明は、上記課題を解決するもので、精米時の除糠精白筒の振動を箱型器枠へ防振することにより振動・騒音を低減し、かつ、精白米が弾性材料の除糠精白筒支持台に接触することを防止し、安全で信頼性の高い精米器を提供することを目的としている。
【０００８】
【課題を解決するための手段】
上記目的を達成するために本発明は、箱形器枠の内部に除糠精白筒を着脱自在に横架し、その内部に回転横軸を嵌挿して軸受によって回転横軸を支承し、前記回転横軸には、摩擦式ロールである精白転子と螺旋転子をそれぞれ軸装してその外周を精白室に形成し、精白室の給米側に供給口、排米側に精白度調整装置を備えた排米口を設け、除糠精白筒の保持部は、弾性体を介して支持し、前記除糠精白筒の排米口側の保持部は、除糠精白筒が貫通する導入口を有し、箱型器枠に固定される押え板と、除糠精白筒の外周と勘合する保持部を有する弾性材料の除糠精白筒支持台を備え、除糠精白筒支持台を給米口側から押え板に固定し、押え板の導入口と除糠精白筒支持台の保持部の間隙は、除糠精白筒のスリット幅より小さくしたものである。
【０００９】
【発明の実施の形態】
本発明は、精米時に発生する振動は、弾性体により緩和されるため、本体外への振動・騒音も緩和でき、騒音を気にすること無く精米したいときに精米する事ができ、また、押え板の導入口と除糠精白筒支持台の保持部の間隙は、除糠精白筒のスリット幅より小さくしたので、排米側で抵抗蓋により加圧された白米が弾性体に接触することを防止できる。弾性体として使用するのは、ゴム材が一般的であるが、ゴム材は、耐摩耗性が悪く米が加圧された状態で接触すると摩耗するばかりか、精白米を汚染することがあるが、弾性体への接触を防止することで、これらの危険を防止できる。
【００１０】
【実施例】
以下、本発明の一実施例を添付図面に基づいて説明する。
【００１１】
図１〜図３において、精米器２１は、箱形器枠２２の内部に除糠精白筒２３を着脱自在に横架し、その内部に回転横軸２４を嵌挿して軸受２５によって回転横軸２４を支承している。前記回転横軸２４には、摩擦式ロールである精白転子２６と螺旋転子２７をそれぞれ軸装してその外周を精白室２８に形成し、精白室２８の給米側に給米口２９を、その排米側に精白度調整装置３０を備えた排米口３１を設けている。給米口２９には、精米前の殻粒を貯えるホッパー３２を、除糠精白筒２３の下方に糠容器３３をそれぞれ設けている。本体２１の前方下部には、精米後の米を本体２１外に排出する排出口３１ａを設け、この排出口３１ａと排米口３１の間に殻粒の有無を検知する検知手段としての対向型光センサー３４を備えている。駆動部としてのモーター３５は、ベルト３６により回転横軸２４に回転力を伝達し、その動作は、制御手段３７により制御される。運転スイッチ３８は、制御手段３７に精米開始及び停止の信号を送る。
【００１２】
精白度調整装置３０は、精白室２８の排米側に圧力調整バネ３９により圧接自在に設けられた抵抗蓋４０の付勢力を調整つまみ４１により調整し、所定の搗精圧力を得る構成である。除糠精白筒２３は、給米側では箱形器枠２２に弾性体で構成された保持部２２ａに側面を保持され、また下方２２ｂは糠容器３３に連通した傾斜部を備えている。また排米側では、箱形器枠２２にネジ４３で着脱自在に固定され、除糠精白筒２３が貫通する導入口４２ａを有する押え板４２により保持される。押え板４２には、除糠精白筒２３の外周と勘合する保持部４４ａを有する弾性材料の除糠精白筒支持台４４が給米口側から固定されている。押え板４２の導入口４２ａと除糠精白筒支持台４４の保持部４４ａの間隙Ｓは、除糠精白筒２３のスリット２３ａ幅Ｃより小さくすなわち、Ｓ＜Ｃに設定している。
【００１３】
次に、このように構成された精米器の動作について説明する。
【００１４】
運転スイッチ３８が押されると、モーター３５が駆動しベルト３６により回転力が伝達され、回転横軸２４が回転する。すると、ホッパー３２に貯えられた玄米は、給米口２９より精白室２８に流下する。この玄米は、最初に螺旋転子２７に繰り込まれ螺旋溝２７ａにより移送され、精白転子２６へ引き継がれて、排米口３１から流下し、排出口３１ａから精米器２１外へ排出される。排米口３１部では、圧力調整バネ３９で排米口側へ付勢される抵抗蓋４０によって精白室内２８の精白米の流動を制限して、いわゆる搗精圧力を増大させているので、精白室２８内で玄米は互いに擦れ合うことにより搗精される。除糠精白筒２３には、スリット２３ａがはいっているため擦れ落ちた米糠は、スリット２３ａから糠容器３３に落ち収容される。さて、ホッパー３２内に玄米が無くなると、当然排米口３１からの精白米の排出もなくなり、対向型光センサー３４を通過する米が無くなるため米なしを検知し、この信号により制御手段３７は、米無し検知から一定時間後モーター３５を停止する。
【００１５】
また、除糠精白筒２３は、給米側では箱形器枠２２に弾性体で構成された保持部２２ａに側面を保持され、また排米側では、弾性材料の除糠精白筒支持台４４により支持されているので精米時の振動が緩和されている。
【００１６】
さらに、押え板４２の導入口４２ａと除糠精白筒支持台４４の保持部４４ａの間隙は、除糠精白筒２３のスリット２３ａ幅より小さくしているので、排米側で抵抗蓋により加圧された白米が弾性体に接触することもない。
【００１７】
このように本発明の実施例の精米器は、安全で使用者にとっては非常に使い勝手がよくなるものである。
【００１８】
【発明の効果】
以上のように、本発明によれば、箱形器枠の内部に除糠精白筒を着脱自在に横架し、その内部に回転横軸を嵌挿して軸受によって回転横軸を支承し、前記回転横軸には、摩擦式ロールである精白転子と螺旋転子をそれぞれ軸装してその外周を精白室に形成し、精白室の給米側に供給口、排米側に精白度調整装置を備えた排米口を設け、除糠精白筒の保持部は、弾性体を介して支持する構成にしたもので、精米時に発生する振動は、弾性体により緩和され、本体外への振動・騒音が緩和でき、騒音を気にすること無く精米したいときに精米する事ができ、また、除糠精白筒の排米口側の保持部は、除糠精白筒が貫通する導入口を有し、箱型器枠に固定される押え板と、除糠精白筒の外周と勘合する保持部を有する弾性材料の除糠精白筒支持台を備え、除糠精白筒支持台を給米口側から押え板に固定し、押え板の導入口と除糠精白筒支持台の保持部の間隙は、除糠精白筒のスリット幅より小さくしたもので、排米側で抵抗蓋により加圧された白米が弾性体に接触することを防止できる。そして、弾性体の摩耗による信頼性の低下を防止するばかりか、弾性体による精白米への汚染も防止することができる。
【図面の簡単な説明】
【図１】  本発明の一実施例における精米器の側面断面図
【図２】  同精米器の要部側面断面図
【図３】  同精米器の要部拡大断面図
【図４】  従来例の精米器の側面断面図
【符号の説明】
２１    精米器
２２    箱形器枠
２２ａ  保持部
２３    除糠精白筒
２４    回転横軸
２９    給米口
３１    排米口
４２    押え板
４２ａ  導入口
４４    除糠精白筒支持台
４４ａ  保持部
【図１】
0003686530.tif 000002
【図２】
0003686530.tif 000003
【図３】
0003686530.tif 000004
【図４】
0003686530.tif 000005